(57)【要約】【課題】  ヒータを接続する電線をコンパクトに収容し、取扱い易くした伸縮式ヒータ器具を提供する。【解決手段】  長手方向に互いに平行に移動可能に構成され、第１および第２のヒータ部６１、６２、７１、７２を収容した細長い固定側ヒータ収容ケース３３ａ、３３ｂと伸縮側ヒータ収容ケース５３ａ、５３ｂの間を電源線９１で接続し、この電源線９１に可撓性をもってＳ字状に屈曲するＳ字状屈曲伸縮部９３ａ、９３ｂを設け、このＳ字状屈曲伸縮部９３ａ、９３ｂにより第１および第２のヒータ部収容ケース３３ａ、３３ｂ、５３ａ、５３ｂの全体の長さ調整に対応し得るように構成している。【選択図】        図１０
2014164974.tif 000002
【特許請求の範囲】
【請求項１】
通電によって発熱する加熱手段が伸縮自在に構成される伸縮式ヒータ器具であって、
前記加熱手段を収容し伸縮自在に構成されるヒータ部収容ケースと、
前記ヒータ部収容ケース内にあって前記加熱手段に電力を供給する電源線が当該ヒータ部収容ケースの伸縮に応じてＳ字状に屈曲するＳ字状屈曲伸縮部と
を有することを特徴とする伸縮式ヒータ器具。
【請求項２】
通電によって発熱する第１のヒータ部および第２のヒータ部からなる加熱手段が長手方向に伸縮自在に構成される伸縮式ヒータ器具であって、
長手方向に伸びた領域を加熱すべく長手方向に沿って平行に配設される第１および第２のヒータ部と、
前記第１および第２のヒータ部に電力を供給すべく第１のヒータ部および第２のヒータ部にそれぞれ接続される第１および第２の電力供給端子をそれぞれ収容する第１および第２の端子収容部と、
長手方向に互いに平行に配設され、前記第１のヒータ部および第２のヒータ部をそれぞれ収容する第１のヒータ部収容ケースと前記第２のヒータ部収容ケースであって、第１のヒータ部および第２のヒータ部がそれぞれ第１および第２の端子収容部内の電力供給端子に接続されるように第１のヒータ部収容ケースと前記第２のヒータ部収容ケースの基端部がそれぞれ第１および第２の端子収容部にそれぞれ連結され、一方のヒータ部収容ケースの自由端部が他方のヒータ部収容ケースの基端部に連結された端子収容部に対して離隔するように一方のヒータ部収容ケースが他方のヒータ部収容ケースに沿って長手方向に移動可能に構成される第１のヒータ部収容ケースと前記第２のヒータ部収容ケースと、
前記第１および第２の端子収容部内に一端が取り付けられ、他端が当該端子収容部から他方のヒータ部収容ケースの自由端部を貫通して当該他方のヒータ部収容ケース内に滑動自在に入り込む細長い第１および第２の中空管と、
前記第１および第２の端子収容部内のそれぞれの第１および第２の電力供給端子に一端が接続され、他端が当該端子収容部から中空管内を通過し、中空管の他端から出てから、ヒータ収容ケース内をヒータ収容ケースの基端部に向かって一端からＵ字状に曲折して、ヒータ収容ケースの自由端部に向かって戻った後、再度ヒータ収容ケースの基端部に向かうようにＵ字状に曲折してＳ字状屈曲伸縮部を形成してから、ヒータ収容ケースの基端部から端子収容部に入り、端子収容部内の他方の電力供給端子に接続される可撓性を有する第１および第２の電源線と
を有することを特徴とする伸縮式ヒータ器具。
【請求項３】
前記第１のヒータ部および第１のヒータ部収容ケースは、複数設けられ、前記第２のヒータ部およびヒータ収容ケースは、複数設けられていることを特徴とする請求項２記載の伸縮式ヒータ器具。
【発明の詳細な説明】
【技術分野】
【０００１】
本発明は、例えば窓面からの冷気侵入・結露を防止するようにガラス窓の下枠に近接して設けられ、ガラス窓の幅に対応して伸縮し得るようにした伸縮式ヒータ器具に関する。
【背景技術】
【０００２】
従来、寒冷地にあっては窓ガラスの結露や凍結を防止するために、窓枠の近傍にヒータを設置することがある。この種の結露防止用のヒータは、種々の幅のガラス窓に対応し得るようにガラス窓の幅方向に伸縮自在に構成されるものも知られている。この伸縮自在の伸縮式ヒータ器具は、ガラス窓の大きさに合わせてヒータの長さを窓枠の幅長に調整してから、ガラス窓の下枠に近接して設けることにより、ヒータによって温められた空気を循環させることでガラス窓の横幅いっぱいにわたってガラス窓を温めて、窓からの冷気侵入及び窓ガラスに結露が発生することを防止するものである。
【０００３】
従来、知られている伸縮式ヒータ器具は、ガラス窓の大きさに合わせて長くしたり短く調整し得るようにするために、ヒータへの電力供給のためにヒータに接続される一対の電線である第１および第２のコードのうち一方の第１のコードの外側を第２のコードであるカールコードが螺旋状に取り巻くように構成され、伸縮式ヒータ器具の長さを長くする時には、第１のコードがカールコードの螺旋部から引き出され、短くする時には、カールコードの螺旋部が伸びて該螺旋部に第１のコードが納められるようにしている(特許文献1参照)。
【先行技術文献】
【特許文献】
【０００４】
【特許文献１】特開２００７−１０３０２２号公報
【発明の概要】
【発明が解決しようとする課題】
【０００５】
上述した従来の伸縮式ヒータ器具では、第１のコードの外側を第２のコードであるカールコードが螺旋状に取り巻くように構成しているが、このカールコードの螺旋状の取り巻き部が本体部の外側に露出しているため、伸縮式ヒータ器具の取扱いが不便となり、全体の構成が大きくなるとともに、ガラス窓に近接して設けた場合にカールコードの螺旋状の取り巻き部が邪魔となるという問題がある。
【０００６】
本発明は、上記に鑑みてなされたもので、その目的とするところは、ヒータを接続する電線をコンパクトに収容し、取扱い易くした伸縮式ヒータ器具を提供することにある。
【課題を解決するための手段】
【０００７】
上記課題を達成するため、請求項１記載の伸縮式ヒータ器具は、通電によって発熱する加熱手段が伸縮自在に構成される伸縮式ヒータ器具であって、前記加熱手段を収容し伸縮自在に構成されるヒータ部収容ケースと、前記ヒータ部収容ケース内にあって前記加熱手段に電力を供給する電源線が当該ヒータ部収容ケースの伸縮に応じてＳ字状に屈曲するＳ字状屈曲伸縮部とを有することを要旨とする。
【０００８】
請求項１記載の伸縮式ヒータ器具では、電源線に可撓性をもってＳ字状に屈曲するＳ字状屈曲伸縮部を設け、このＳ字状屈曲伸縮部によりヒータ収容ケースの全体の長さ調整に対応し得るように構成しているため、電源線を単にＳ字状に屈曲するという比較的簡単なＳ字状屈曲伸縮部を設けることにより、小型化および経済化を図ることができる。
【０００９】
請求項２記載の伸縮式ヒータ器具は、細長い領域を加熱するように長手方向に伸縮し得る伸縮式ヒータ器具であって、長手方向に伸びた領域を加熱すべく長手方向に沿って平行に配設される第１および第２のヒータと、前記第１および第２のヒータに電力を供給すべく第１および第２のヒータにそれぞれ接続される第１および第２の電力供給端子をそれぞれ収容する第１および第２の端子収容部と、長手方向に互いに平行に配設され、前記第１および第２のヒータを収容する細長い第１および第２のヒータ収容ケースであって、第１および第２のヒータがそれぞれ第１および第２の端子収容部内の電力供給端子に接続されるように第１および第２のヒータ収容ケースの基端部がそれぞれ第１および第２の端子収容部にそれぞれ連結され、一方のヒータ収容ケースの自由端部が他方のヒータ収容ケースの基端部に連結された端子収容部に対して離隔するように一方のヒータ収容ケースが他方のヒータ収容ケースに沿って長手方向に移動可能に構成される第１および第２のヒータ収容ケースと、前記第１および第２の端子収容部内に一端が取り付けられ、他端が当該端子収容部から他方のヒータ収容ケースの自由端部を貫通して当該他方のヒータ収容ケース内に滑動自在に入り込む細長い第１および第２の中空管と、前記第１および第２の端子収容部内のそれぞれの第１および第２の電力供給端子に一端が接続され、他端が当該端子収容部から中空管内を通過し、中空管の他端から出てから、ヒータ収容ケース内をヒータ収容ケースの基端部に向かって一旦からＵ字状に曲折して、ヒータ収容ケースの自由端部に向かって戻った後、再度ヒータ収容ケースの基端部に向かうようにＵ字状に曲折してＳ字状屈曲伸縮部を形成してから、ヒータ収容ケースの基端部から端子収容部に入り、端子収容部内の他方の電力供給端子に接続される可撓性を有する第１および第２の電源線とを有することを要旨とする。
【００１０】
請求項２記載の伸縮式ヒータ器具では、長手方向に互いに平行に移動可能に構成され、第１および第２のヒータを収容した細長い第１および第２のヒータ収容ケースの間を電源線で接続し、この電源線に可撓性をもってＳ字状に屈曲するＳ字状屈曲伸縮部を設け、このＳ字状屈曲伸縮部により第１および第２のヒータ収容ケースの全体の長さ調整に対応し得るように構成しているため、第１のヒータと第２のヒータとを接続する電源線に比較的簡単なＳ字状屈曲伸縮部を設けることにより、第１および第２のヒータを任意の長さの加熱領域に対応し得るように伸縮自在に平行移動させることができ、小型化および経済化を図ることができる。
【００１１】
請求項３記載の伸縮式ヒータ器具は、前記第１のヒータおよび第１のヒータ収容ケースが、複数設けられ、前記第２のヒータおよびヒータ収容ケースが、複数設けられていることを要旨とする。
【発明の効果】
【００１２】
本発明によれば、長手方向に互いに平行に移動可能に構成され、第１および第２のヒータを収容した細長い第１および第２のヒータ収容ケースの間を電源線で接続し、この電源線に可撓性をもってＳ字状に屈曲するＳ字状屈曲伸縮部を設け、このＳ字状屈曲伸縮部により第１および第２のヒータ収容ケースの全体の長さ調整に対応し得るように構成しているので、第１のヒータと第２のヒータとを接続する電源線を単にＳ字状に屈曲するという比較的簡単なＳ字状屈曲伸縮部を設けることにより、第１および第２のヒータを任意の長さの加熱領域に対応し得るように伸縮自在に平行移動させることができ、小型化および経済化を図ることができる。
【図面の簡単な説明】
【００１３】
【図１】本発明の一実施形態に係わる伸縮式ヒータ器具の収縮した状態を示す斜視図である。
【図２】図１に示す伸縮式ヒータ器具の伸長した状態を示す斜視図である。
【図３】図１および図２に示す伸縮式ヒータ器具を更に詳しく示す平面図である。
【図４】図３に示す伸縮式ヒータ器具の固定側構成部のみを示す平面図である。
【図５】図３に示す伸縮式ヒータ器具の伸縮側構成部のみを示す平面図である。
【図６】図１に示す本実施形態の伸縮式ヒータ器具の電気回路を示す回路図である。
【図７】図１に示した伸縮式ヒータ器具の電源線を除いた電気回路部品を図３に示した構成の伸縮式ヒータ器具の各部に収容した状態を示す構成図である。
【図８】図１に示した伸縮式ヒータ器具において電気回路部品を収容した固定側構成部を示す図である。
【図９】図１に示した伸縮式ヒータ器具において電気回路部品を収容した伸縮側構成部を示す図である。
【図１０】図６に示す伸縮式ヒータ器具の電気回路部における電源線の配線状態を示す図である。
【図１１】図１に示す伸縮式ヒータ器具に使用される固定側中空管の補強を示す斜視図である。
【発明を実施するための形態】
【００１４】
以下、図面を用いて、本発明を実施するための形態(以下、実施形態と称する)を説明する。
【００１５】
図１は、本発明の一実施形態に係わる伸縮式ヒータ器具の収縮した状態を示す斜視図であり、図２は、図１に示す伸縮式ヒータ器具の伸長した状態を示す斜視図である。図１および図２に示すように、本実施形態の伸縮式ヒータ器具１は、長手方向に自在に伸縮し得るように構成されている。
【００１６】
図３は、図１および図２に示す伸縮式ヒータ器具１を更に詳しく示す平面図である。この図３に示す伸縮式ヒータ器具１は、図１の収縮状態よりも少し長く伸長した状態を示し、図２の伸長状態よりも少し短く収縮した状態を示している。
【００１７】
伸縮式ヒータ器具１は、図１乃至図３、詳しくは図３に示すように、第１の構成部である固定側構成部３と第２の構成部である伸縮側構成部５を有し、この伸縮側構成部５は、固定側構成部３に対して図３において矢印１００で示すように長手方向に滑動自在に、すなわちスライド可能に伸縮、すなわち移動するように組み合せて取り付けられている。なお、第１の構成部および第２の構成部のような第１および第２を本実施形態では、固定側および移動側と称することにする。
【００１８】
図４は、図３に示す固定側構成部３および伸縮側構成部５のうち、固定側構成部３のみを示す平面図であり、図５は、伸縮側構成部５のみを示す平面図である。
【００１９】
図４に示す固定側構成部３は、電源ケーブル９が接続され、ヒータに電力を供給するための電力供給端子を収容している固定側端子収容部３１と、この固定側端子収容部３１に基端部が取り付けられて、図４で水平方向に互いに平行に長く伸び、内部にヒータが収容される２本の細長い固定側ヒータ収容ケース３３ａおよび固定側ヒータ収容ケース３３ｂと、固定側端子収容部３１内に一端が取り付けられ、固定側ヒータ収容ケース３３ａ、３３ｂの間で平行に伸びた固定側中空管３５と、固定側端子収容部３１からの平行に伸びた固定側ヒータ収容ケース３３ａ、固定側ヒータ収容ケース３３ｂおよび固定側中空管３５のそれぞれの自由端部が保持された固定側保持部３７とを有する。なお、固定側中空管３５の他端は、固定側保持部３７の第１の貫通部３７ｃ内まで伸びて固定されている。
【００２０】
また、固定側保持部３７は、先端が丸くなった第１および第２の終端部３７ａおよび３７ｂと、先端が切断され、後述するように固定側構成部５の固定側ヒータ収容ケースが貫通する第１および第２の貫通部３７ｃおよび３７ｄとを有する。なお、固定側中空管３５の一端部は、固定側端子収容部３１内に伸びて固定され、他端部は、固定側保持部３７の第１の貫通部３７ｃ内に伸びて固定されている。
【００２１】
図５に示す伸縮側構成部５も、図４に示す固定側構成部３と同様に、ヒータに電力を供給するための電力供給端子を収容している伸縮側端子収容部５１と、この伸縮側端子収容部５１に基端部が取り付けられて、図５で水平方向に互いに平行に長く伸び、内部にヒータが収容される２本の細長い伸縮側ヒータ収容ケース５３ａおよび伸縮側ヒータ収容ケース５３ｂと、伸縮側端子収容部５１内に一端が取り付けられ、伸縮側ヒータ収容ケース５３ａ、５３ｂの間で平行に伸びた伸縮側中空管５５と、伸縮側端子収容部５１からの平行に伸びた伸縮側ヒータ収容ケース５３ａ、５３ｂおよび伸縮側中空管５５のそれぞれの自由端部が保持された伸縮側保持部５７とを有する。なお、伸縮側中空管５５の他端は、伸縮側保持部５７の第１の貫通部５７ｃ内まで伸びて固定されている。
【００２２】
また、伸縮側保持部５７は、先端が丸くなった第１および第２の終端部５７ａおよび５７ｂと、先端が切断され、固定側構成部３の固定側ヒータ収容ケース３３ａ、３３ｂが貫通する第１および第２の貫通部５７ｃおよび５７ｄとを有する。なお、伸縮側中空管５５の一端部は、伸縮側端子収容部５１内に伸びて固定され、他端部は、伸縮側保持部５７の第１の貫通部５７ｃ内に伸びて固定されている。
【００２３】
以上にように構成される固定側構成部３と伸縮側構成部５とが組み合わされて、図３に示すように構成される。すなわち、固定側構成部３の固定側ヒータ収容ケース３３ａ、３３ｂがそれぞれ伸縮側構成部５の第１および第２の貫通部５７ｃ、５７ｄを滑動自在に貫通し、伸縮側構成部５の伸縮側ヒータ収容ケース５３ａ、５３ｂがそれぞれ固定側構成部３の第１および第２の貫通部３７ｃ、３７ｄを滑動自在に貫通するように固定側構成部３と伸縮側構成部５の両者は組み合わされ、図３において矢印１００で示すように固定側ヒータ収容ケース３３ａ、３３ｂおよび伸縮側ヒータ収容ケース５３ａ、５３ｂが互いに平行に伸縮し得るように構成され、図１に示す収縮した状態から図２に示すように伸長した状態になることができる。なお、この伸長状態は、固定側構成部３の固定側保持部３７と伸縮側構成部５の伸縮側保持部５７が当接する長さまで行われる。すなわち、伸縮式ヒータ器具１は、伸縮側構成部５の伸縮側保持部５７が固定側構成部３の固定側保持部３７に当接するまで長く伸長する。
【００２４】
また、図３に示すように、固定側構成部３の固定側中空管３５は、伸縮側構成部５の伸縮側保持部５７の第１の終端部５７ａを滑動自在に貫通し、伸縮側構成部５の伸縮側中空管５５は、固定側構成部３の固定側保持部３７の第２の終端部３７ｂを滑動自在に貫通している。
【００２５】
図６は、図１に示す本実施形態の伸縮式ヒータ器具１の電気回路部の構成を示す回路図である。同図に示すように、伸縮式ヒータ器具１の電気回路部は、点線で囲む２個の回路ブロックである固定側回路部６と伸縮側回路部７とから構成されている。固定側回路部６は、第１および第１のヒータ部６１、６２を有し、伸縮側回路部７も同様に、第１、第２のヒータ部７１、７２を有する。なお、第１ヒータ部６１、第２のヒータ部６２、第１のヒータ部７１、第２のヒータ部７２は加熱手段を構成するものである。
【００２６】
また、前記電源ケーブル９は、固定側回路部６内に入ってから、電源ケーブル９の一方の電線は、第１の電力供給端子Ｔａに直接接続され、この第１の電力供給端子Ｔａから前記第１のヒータ部６１の一端に接続されるとともに、一対の電源線９１の一方を介して伸縮側回路部７内の第１の電力供給端子Ｔｂに接続され、この第１の電力供給端子Ｔｂから伸縮側回路部７の第１のヒータ部７１の一端に接続されている。
【００２７】
電源ケーブル９の他方の電線は、電源スイッチ６３および電流ヒューズ６４を介して固定側回路部６内の第２の電力供給端子ＴＡに接続され、この第２の電力供給端子ＴＡから一対の電源線９１の他方を介して伸縮側回路部７内の第２の電力供給端子ＴＢに接続されている。
【００２８】
なお、上述した一対の電源線９１は、固定側回路部６と伸縮側回路部７との間を伸縮自在に接続しているものであり、後述するように、この一対の電源線９１の一方は、固定側回路部６内の第１の電力供給端子Ｔａから前記固定側中空管３５の中を貫通した後、伸縮側ヒータ収容ケース５３ａの中でＳ字状に屈折してＳ字状屈曲伸縮部を形成した後、伸縮側回路部７内の第１の電力供給端子Ｔｂに接続されるものである。また、同様に、一対の電源線９１の他方は、固定側回路部６内の第２の電力供給端子ＴＡから固定側ヒータ収容ケース３３ｂ内に入り、この固定側ヒータ収容ケース３３ｂの中でＳ字状に屈折してＳ字状屈曲伸縮部を形成した後、伸縮側中空管５５の中を貫通してから、伸縮側回路部７内の第２の電力供給端子ＴＢに接続されるものである。
【００２９】
固定側回路部６内において、第１のヒータ部６１の他端は、接続線６８を介して第２のヒータ部６２の一端に接続され、第２のヒータ部６２の他端は、バイメタル式サーモスタット６７、温度フューズ６６、バイメタル式サーモスタット６５を介して第２の電力供給端子ＴＡに接続され、これにより電源ケーブル９からの電力は、第１の電力供給端子Ｔａ、第１のヒータ部６１、接続線６８、第２のヒータ部６２、バイメタル式サーモスタット６７、温度フューズ６６、バイメタル式サーモスタット６５、第２の電力供給端子ＴＡ、電流ヒューズ６４、電源スイッチ６３からなる回路に供給され、これにより固定側回路部６の第１、第２のヒータ部６１、６２は電源ケーブル９からの電力で加熱されるようになっている。なお、第１のヒータ部６１の一端と第２のヒータ部６２の他端との間には、抵抗６９、発光ダイオード７０およびダイオード８３からなる直列回路が接続されている。
【００３０】
また、伸縮側回路部７内においても同様に、第１のヒータ部７１の他端は、接続線７８を介して第２のヒータ部７２の一端に接続され、第２のヒータ部７２の他端は、バイメタル式サーモスタット７７、温度フューズ７６、バイメタル式サーモスタット７５を介して第２の電力供給端子ＴＢに接続され、これにより電源ケーブル９からの電力は、第１の電力供給端子Ｔａ、電源線９１の一方、第１の電力供給端子Ｔｂ、第１のヒータ部７１、接続線７８、第２のヒータ部７、バイメタル式サーモスタット７７、温度フューズ７６、バイメタル式サーモスタット７５、第２の電力供給端子ＴＢ、電源線９１の他方、第２の電力供給端子ＴＡ、電流ヒューズ６４、電源スイッチ６３からなる回路に供給され、これにより固定側回路部６の第１のヒータ部７１、第２のヒータ部７２は電源ケーブル９からの電力で加熱されるようになっている。なお、第１のヒータ部７１の一端と第２のヒータ部７２の他端との間には、抵抗７９、発光ダイオード８０およびダイオード８１からなる直列回路が接続されている。
【００３１】
図７は、図６に示したように接続された伸縮式ヒータ器具１の電気回路部品を図３に示したように構成された伸縮式ヒータ器具１の固定側構成部３および伸縮側構成部５の各部に収容した状態を示す構成図である。なお、図７では、図６に示した電気回路部品のうち、電源線９１の配線は図示を省略している。
【００３２】
図７に示すように、固定側構成部３の固定側ヒータ収容ケース３３ａには、第１のヒータ部６１がＵ字状に折れ曲がって細長く収容され、固定側ヒータ収容ケース３３ｂには、第２のヒータ部６２が同様にＵ字状に折れ曲がって細長く収容されている。
【００３３】
また、固定側構成部３の固定側端子収容部３１には、第１の電力供給端子Ｔａ、第２の電力供給端子ＴＡに加えて、固定側回路部６を構成する抵抗６９、発光ダイオード７０、ダイオード８３、電源スイッチ６３、電流ヒューズ６４、バイメタル式サーモスタット６５、温度フューズ６６、バイメタル式サーモスタット６７が結線されて収容されている。
【００３４】
また、固定側回路部６の第１の電力供給端子Ｔａは、第１のヒータ部６１の一端に接続され、第１のヒータ部６１の他端は、接続線６８を介して第２のヒータ部６２の一端に接続され、第２のヒータ部６２の他端は、バイメタル式サーモスタット６７、温度フューズ６６、バイメタル式サーモスタット６５を介して第２の電力供給端子ＴＡに接続されている。以上のように、図６に示した固定側回路部６の電気回路部品は、固定側構成部３の固定側ヒータ収容ケース３３ａ、３３ｂおよび固定側端子収容部３１に収容され、結線されている。
【００３５】
更に、伸縮側構成部５においても同様に、伸縮側構成部５の伸縮側ヒータ収容ケース５３ａには、第１のヒータ部７１がＵ字状に折れ曲がって細長く収容され、伸縮側ヒータ収容ケース５３ｂにも、同様に第２のヒータ部７２がＵ字状に折れ曲がって細長く収容されている。
【００３６】
また、伸縮側構成部５の伸縮側端子収容部５１には、第１の電力供給端子Ｔｂ、第２の電力供給端子ＴＢに加えて、伸縮側回路部７を構成する抵抗７９、発光ダイオード８０、ダイオード８１、バイメタル式サーモスタット７５、温度フューズ７６、バイメタル式サーモスタット７７が結線されて収容されている。
【００３７】
また、伸縮側回路部７の第１の電力供給端子Ｔｂは、第１のヒータ部７１の一端に接続され、第１のヒータ部７１の他端は、接続線７８を介して第２のヒータ部７２の一端に接続され、第２のヒータ部７２の他端は、バイメタル式サーモスタット７７、温度フューズ７６、バイメタル式サーモスタット７５を介して第２の電力供給端子ＴＢに接続されている。以上のように、図６に示した伸縮側回路部７の電気回路部品は、伸縮側構成部５の伸縮側ヒータ収容ケース５３ａ、５３ｂおよび伸縮側端子収容部５１に収容され、結線されている。
【００３８】
図８および図９は、それぞれ図７に示した電気回路部品を収容した伸縮式ヒータ器具１の固定側構成部３と伸縮側構成部５を別々に分けて分かりやすく示した図である。
【００３９】
図８および図９における電気回路部品およびその結線は、図７と同じであるが、図７に示す回路に加えて、図８では、固定側端子収容部３１内の第１の電力供給端子Ｔａから図６に示すように伸縮側回路部７の第１の電力供給端子Ｔｂに向かって伸びた電源線９１のうちの第１の電源線９１ａが固定側中空管３５の中を点線で示すように貫通して固定側保持部３７の第１の貫通部３７ｃまで伸びていることが図示されている。なお、この第１の電源線９１ａの更なる接続は、図１０で説明する。
【００４０】
また同様に、図９では、伸縮側端子収容部５１内の第２の電力供給端子ＴＢから図６に示すように固定側回路部６の第２の電力供給端子ＴＡに向かって伸びた電源線９１の第２の電源線９１ｂが伸縮側中空管５５の中を点線で示すように貫通して伸縮側保持部５７の第１の貫通部５７ｃまで伸びていることが図示されている。なお、この第２の電源線９１ｂの更なる接続は、図１０で説明する。
【００４１】
図１０は、図６に示す伸縮式ヒータ器具１の電気回路部のうちの固定側回路部６と伸縮側回路部７との間を伸縮自在に接続する可撓性を有する電源線９１の配線状態を示す図である。
【００４２】
図１０において、電源線９１のうちの第１の電源線９１ａは、固定側構成部３の固定側端子収容部３１内の第１の電力供給端子Ｔａから固定側中空管３５内を貫通し、固定側保持部３７の第１の貫通部３７ｃにおいて固定側中空管３５から出た直後に、伸縮側ヒータ収容ケース５３ａ内をその自由端部に向かってＵ字状に戻った後、伸縮側ヒータ収容ケース５３ａの基端部に向かって進んでから再度Ｕ字状に曲折してから、伸縮側ヒータ収容ケース５３ａの基端部から伸縮側端子収容部５１内に入り、伸縮側端子収容部５１内の第１の電力供給端子Ｔｂに接続されている。
【００４３】
ここにおいて、上述したように、第１の電源線９１ａが固定側中空管３５から出た直後に、伸縮側ヒータ収容ケース５３ａ内をその自由端部に向かってＵ字状に戻った後、伸縮側ヒータ収容ケース５３ａの基端部に向かって再度Ｕ字状に曲折することでＳ字状屈曲伸縮部９３ａを構成しているが、このＳ字状屈曲伸縮部９３ａにより第１の電源線９１ａは、伸縮側ヒータ収容ケース５３ａの長手方向に伸縮自在となり、伸縮側構成部５が固定側構成部３に対して図３において矢印１００で示すように長手方向に滑動自在に、すなわちスライド可能に伸縮、すなわち移動しても、第１の電源線９１ａはその伸縮に追従して伸縮することができるものであり、電源線９１は、例えば複数の細い電線を撚り合わせて可撓性を有するように構成されているものである。
【００４４】
図１０において、電源線９１のうちの第２の電源線９１ｂも、同様に、伸縮側構成部５の伸縮側端子収容部５１内の第２の電力供給端子ＴＢから伸縮側中空管５５内を貫通し、伸縮側保持部５７の第１の貫通部５７ｃにおいて伸縮側中空管５５から出た直後に、固定側ヒータ収容ケース３３ｂ内をその自由端部に向かってＵ字状に戻った後、固定側ヒータ収容ケース３３ｂの自由端部に向かって進んでから再度Ｕ字状に曲折して固定側ヒータ収容ケース３３ｂの基端部に向かってから、固定側ヒータ収容ケース３３ｂの基端部から固定側端子収容部３１内に入り、固定側端子収容部３１内の第２の電力供給端子ＴＡに接続されている。
【００４５】
ここにおいて、上述したように、第２の電源線９１ｂが伸縮側中空管５５から出た直後に、固定側ヒータ収容ケース３３ｂ内をその自由端部に向かってＵ字状に戻った後、固定側ヒータ収容ケース３３ｂの自由端部に向かって再度Ｕ字状に曲折することでＳ字状屈曲伸縮部９３ｂを構成しているが、このＳ字状屈曲伸縮部９３ｂにより第２の電源線９１ｂは、固定側ヒータ収容ケース３３ｂの長手方向に伸縮自在となり、伸縮側構成部５が固定側構成部３に対して図３において矢印１００で示すように長手方向に滑動自在に、すなわちスライド可能に伸縮、すなわち移動しても、第２の電源線９１ｂａはその伸縮に追従して伸縮することができるものであり、電源線９１は、例えば複数の細い電線を撚り合わせて可撓性を有するように構成されているものである。
【００４６】
なお、第１の電源線９１ａは、上述したように、固定側中空管３５から出た直後に、伸縮側ヒータ収容ケース５３ａ内をその自由端部に向かってＵ字状に少し戻ったところで、熱収縮チューブ９５ａで固定側中空管３５に縛り付けるように固定されている。また、第２の電源線９１ｂも同様に、伸縮側中空管５５から出た直後に、固定側ヒータ収容ケース３３ｂ内をその自由端部に向かってＵ字状に少し戻ったところで、熱収縮チューブ９５ｂで伸縮側中空管５５に縛り付けるように固定されている。
【００４７】
なお、第１の電源線９１ａおよび第２の電源線９１ｂがそれぞれ貫通する固定側中空管３５および伸縮側中空管５５は、図１１に示すように、補強棒９７を沿わされて補強されている。また、固定側中空管３５および伸縮側中空管５５内をそれぞれ貫通する第１の電源線９１ａおよび第２の電源線９１ｂは、図１１に示すように、熱収縮チューブ９９を被覆されている。
【００４８】
上記実施形態において、第１のヒータ部６１、第２のヒータ部６２、第１のヒータ部７１、第２のヒータ部７２は、炭素繊維のヒータであることが好ましいが、これに限定されるものではない。また、固定側中空管３５、伸縮側中空管５５および補強棒９７は、ステンレス製であるがアルミニウムで構成しても良いが、これに限定されるものではなく、図１１に示すような、概ね数字の「８」字形状または外形がだるま型の一体型の他、中間部分に膨らみのある楕円形、もしくは中間部分が平行な長円形等で片方に電源線が貫通可能な構造であれば良い。
【００４９】
以上のように構成される伸縮式ヒータ器具１を例えば窓ガラスの結露を防止するために、ガラス窓の下部に近接して設置する場合に、伸縮式ヒータ器具１の長さをガラス窓の長さに合わせるように調整することが必要であるが、このように伸縮式ヒータ器具１の長さを調整する場合には、図３において例えば固定側構成部３の固定側端子収容部３１を手などで押えながら、伸縮側構成部５の伸縮側端子収容部５１を矢印１００で示すように手などで伸ばしたり縮めたりするように伸縮させながら、伸縮式ヒータ器具１の全体の長さをガラス窓の横方向の長さに合わせるように操作すると、伸縮式ヒータ器具１の伸縮側ヒータ収容ケース５３ａ、固定側ヒータ収容ケース３３ｂの中に収容されている電源線９１ａ、９１ｂのＳ字状屈曲伸縮部９３ａ、９３ｂが上記伸縮に合わせて可撓性をもって柔軟に作動し、Ｓ字状屈曲伸縮部９３ａ、９３ｂは、伸縮式ヒータ器具１の全体の長さがガラス窓の横方向の長さに合う位置まで追従するように作動し、切断されることなく、各ヒータへの電力供給を可能とする。
【００５０】
このようにして、伸縮式ヒータ器具１の全体の長さがガラス窓の横方向の長さに合わせた後、電源ケーブル９を図示しない電源に接続してから、電源スイッチ６３をオンにすると、電源からの電力が電源ケーブル９から電源スイッチ６３、電流ヒューズ６４を介して第１の電力供給端子Ｔａと第２の電力供給端子ＴＡとの間に印加され、この電力が固定側回路部６の第１のヒータ部６１、第２のヒータ部６２および伸縮側回路部７の第１のヒータ部７１、第２のヒータ部７２に供給され、これにより各ヒータは加熱され、その熱で窓ガラスの結露が防止される。
【００５１】
なお、上記実施形態では、伸縮式ヒータ器具１を窓ガラスの結露防止に使用している場合について説明したが、伸縮式ヒータ器具１は、これに限定されるものでなく、暖房や保温などの種々の用途に利用し得るものである。
【００５２】
また、上記実施形態では、ヒータは、固定側用に第１、第２のヒータ部６１、６２の２本、また移動側用に第１、第２のヒータ部７１、７２の２本ずつであるが、これに限定されるものでなく、それぞれ１本ずつでも良いし、３本以上の複数でもよいものである。また、固定側および移動側ヒータ収容ケースもそれぞれ同様に２本に限定されるものでなく、それぞれ１本ずつでも良いし、３本以上の複数でもよいものである。
【符号の説明】
【００５３】
1  伸縮式ヒータ器具
3  固定側構成部
５  伸縮側構成部
６  固定側回路部
７  伸縮側回路部
９  電源ケーブル
３１  固定側端子収容部
３３ａ、３３ｂ  固定側ヒータ収容ケース
３５  固定側中空管
３７  固定側保持部
３７ａ、５７ａ  第１の終端部
３７ｂ、５７ｂ  第２の終端部
３７ｃ、５７ｃ  第１の貫通部
３７ｄ、５７ｄ  第２の貫通部
５１  伸縮側端子収容部
５３ａ、５３ｂ  伸縮側ヒータ収容ケース
５５  伸縮側中空管
５７  伸縮側保持部
５７ａ  第１の終端部５７ａ
６１、７１  第１のヒータ部
６２、７２  第２のヒータ部
９１  電源線
９１ａ  一方の電源線
９１ｂ  他方の電源線
９３ａ、９３ｂ  Ｓ字状屈曲伸縮部
９７  補強棒
９５ａ、９５ｂ、９９  熱収縮チューブ
Ｔａ、Ｔｂ  第１の電力供給端子
ＴＡ、ＴＢ  第２の電力供給端子
【図１】
2014164974.tif 000003
【図２】
2014164974.tif 000004
【図３】
2014164974.tif 000005
【図４】
2014164974.tif 000006
【図５】
2014164974.tif 000007
【図６】
2014164974.tif 000008
【図７】
2014164974.tif 000009
【図８】
2014164974.tif 000010
【図９】
2014164974.tif 000011
【図１０】
2014164974.tif 000012
【図１１】
2014164974.tif 000013